(57)【要約】【課題】  従来のファイルは一般に矩形であるため、特に上縁のみが開放されているものでは、内部に挿入する書面が前記ファイルの上縁角部に引っ掛かり、スムーズに挿入することが困難であった。【解決手段】  ２枚の可撓性を有する樹脂製のシート５、６の上縁１ｂ以外の部分が接続されて形成されている袋状の矩形のファイル１であって、前記ファイル１の上縁１ｂが開放され、当該上縁１ｂの端部が斜めに切断されていることを特徴とするファイル。【選択図】図２
2014124950.tif 000002
【特許請求の範囲】
【請求項１】
２枚の可撓性を有する樹脂製のシートの周縁の一部が接続されて形成されている袋状の矩形のファイルであって、前記ファイルの上縁が開放され、当該上縁の端部が斜めに切断されていることを特徴とするファイル。
【請求項２】
２枚の可撓性を有する樹脂製のシートの周縁の一部が接続されて形成されている袋状の矩形のファイルであって、前記ファイルの上縁が開放され、当該上縁の端部の手前側のシートのみが斜めに切断されていることを特徴とするファイル。
【請求項３】
２枚の可撓性を有する樹脂製のシートの周縁の一部が接続されて形成されている袋状の矩形のファイルであって、前記ファイルの上縁が開放され、当該上縁の端部の奥側のシートのみが斜めに切断されていることを特徴とするファイル。
【請求項４】
手前側のシートに、当該シートをめくり易くするための突起が形成されている請求項１ないし３のいずれか１項に記載の複数のファイル。
【請求項５】
ファイルの上縁および側縁が開放され、前記開放部分の角部が斜めに切断されている請求項１ないし４のいずれか１項に記載のファイル。
【請求項６】
シートは透明である請求項１ないし５のいずれか１項に記載の複数のファイル。
【請求項７】
請求項１ないし６のいずれか１項に記載の複数のファイルが一側縁で綴じ合わされ、当該綴じ合あわされた部位と反対側の端部が斜めに切断されているファイル集合体。
【発明の詳細な説明】
【技術分野】
【０００１】  本発明は主として透明なファイルとその集合体であって、当該ファイル内に書面等の枚葉類を容易に挿入し得るものである。
【背景技術】
【０００２】  従来、各種のファイルは公知である（特許文献１、２参照）【０００３】
【特許文献１】  特開２００１−１２１８６７号公報
【特許文献１】  特開２００１−２２５５８２号公報
【発明の概要】
【発明が解決しようとする課題】
【０００４】  種々のファイルが市場などに出回っているが、いずれも２枚の可撓性を有する樹脂製のシートの周縁の一部が接続されて形成され、内部に書面等の枚葉類を挿入し得る袋状の矩形のファイルが殆どである。【０００５】  前記ファイルは例えば上縁のみが開放されたり、上縁と右側縁が開放されており、内部に枚葉類を収納する際には、その開放された上縁、もしくは上縁と右側縁との角部付近から挿入していた。【０００６】  しかしながら、枚葉類をファイル内に収納しようとすると、右上端の角部で引っかかりスムーズに挿入できないこという課題があった。特に、上縁のみが開放されているファイルではその課題は顕著であった。【０００７】  具体的には、従来のファイルの正面図である図１において、一般にスペース効率を考慮されることから、ファイル１の大きさはそれに挿入される書面２よりも僅かに大型に形成されている。【０００８】  従って、前記ファイル１に書面２を収納する際には、前記書面２を、その側縁２ａが前記ファイル１の側縁１ａと平行になるように、前記ファイル１の上縁１ｂの真上から注意深く挿入する必要があった。【０００９】  もし少しでも、例えば右方向に斜めになると、前記書面２の右側縁２ａがファイル１の右上縁角部１ｃに引っ掛かりスムーズに挿入できなくなるという課題があった。【００１０】  本発明は、前述のような従来のファイルの課題に鑑み、ファイル内に容易に枚葉類を挿入し得るファイルおよびファイル集合体を実現せんとするものである。
【課題を解決するための手段】
【００１１】  （１）本発明は、２枚の可撓性を有する樹脂製のシートの周縁の一部が接続されて形成されている袋状の矩形のファイルであって、前記ファイルの上縁が開放され、当該上縁の端部が斜めに切断されていることを特徴とするものである。【００１２】  本発明によれば、前記上縁の端部が斜めに切断されているので、枚葉類をその切断部から容易にファイル内に挿入することができる。【００１３】  （２）本発明は、２枚の可撓性を有する樹脂製のシートの周縁の一部が接続されて形成されている袋状の矩形のファイルであって、前記ファイルの上縁が開放され、当該上縁の端部の手前側のシートのみが斜めに切断されていることを特徴とするものである。【００１４】  本発明によれば、前記上縁の端部の手前側のシートが斜めに切断されているので、枚葉類を奥側のシートの手前側面に沿わせて、その切断部から容易にファイル内に挿入することができる。【００１５】  （３）本発明は、２枚の可撓性を有する樹脂製のシートの周縁の一部が接続されて形成されている袋状の矩形のファイルであって、前記ファイルの上縁が開放され、当該上縁の端部の奥側のシートのみが斜めに切断されていることを特徴とするものである。【００１６】  本発明によれば、前記上縁の端部の奥側のシートが斜めに切断されているので、手前側のシートをめくれば、枚葉類をその切断部から容易にファイル内に挿入し、収納することができる。【００１７】  （４）本発明において、手前側のシートに、当該シートをめくりやすくするための突起が形成されていることが望ましい。【００１８】  本発明によれば、手前側のシートをめくり易くするための突起が形成されているので、枚葉類を挿入する際、手前側のシートを容易にめくることができる。【００１９】  （５）本発明において、ファイルの上縁および側縁が開放され、前記開放部分の角部が斜めに切断されていることが望ましい。【００２０】  本発明によれば、ファイルの上縁および側縁が開放されているので、一層容易に枚葉類を挿入することができる。【００２１】  ただし、ファイルの側縁も開放されていると、収納された枚葉類が脱落しやすいという従来からの課題は残ることになる。【００２２】  （６）本発明において、前記シートは透明であることが望ましい。
本発明において、前記シートが透明であるので、一層容易に枚葉類を挿入し易くなると共に、収納後の前枚葉類を手前側のシートを透して視認することが可能となる。【００２３】  （７）本発明は、複数のファイルが一側縁で綴じ合わされ、当該綴じ合あわされた部位と反対側の端部が斜めに切断されているファイル集合体である。【００２４】  本発明によると、前記綴じ合あわされた部位と反対側の端部が斜めに切断されているので、ファイル集合体であっても、各ファイルに夫々容易に枚葉類を挿入することが可能となる。
【発明の効果】
【００２５】  前述のように、本発明によれば、２枚の可撓性を有する樹脂製のシートの周縁の一部が接続されて形成されている袋状の矩形のファイルであって、前記ファイルの上縁が開放され、当該上縁の端部が斜めに切断されているので、枚葉類をその切断部から容易にファイル内に挿入することができる。【００２６】  また、前記枚葉類が大型である場合には、ファイルに収納されている枚葉類の角部が前記切断部から顔を出すことになるので、その部分を把持すれば目的の枚葉類を容易に取り出すことが可能となる。
【図面の簡単な説明】
【００２７】
【図１】  従来の上縁のみが開放されているファイルに枚葉類である書面を挿入する状態を示す正面図である。
【図２】  本発明の一実施の形態の、上縁のみが開放されているファイルに枚葉類である書面を挿入する状態を示す正面図である。
【図３】  本発明の一実施の形態のファイルに、枚葉類である大きさが異なる２種類の書面を収納した状態を示す正面図である。
【図４】  本発明の一実施の形態で、手前側のシートの角部（上縁の端部）のみが切断されているファイルの正面図である。
【図５】  本発明の一実施の形態で、奥側のシートの角部（上縁の端部）のみが切断されているファイルの正面図である。
【図６】  本発明の一実施の形態で、突起が形成されているファイルの正面図である。
【図７】  本発明の一実施の形態で、複数のファイルが集約されているファイル集合体の斜視図である。
【発明を実施するための形態】
【００２８】  図２は、上縁１ｂのみが開放されているファイル１に書面２を挿入する状態を示す正面図で、前記ファイル１は、２枚の可撓性を有する透明な樹脂製のシートの両側縁１ａ、１ｅおよび下縁１ｄが接続されて形成された袋状を呈しており、その上縁１ｂが開放されている。
【００２９】  また、前記上縁１ｂと右側縁１ａとで構成される角部が斜めに切断されて、この切断部３が本発明の特徴部分である。
【００３０】  かように切断部３があると、前記書面２をファイル１の上縁１ｂから挿入する際、当該書面２が少々傾いても、従来の右上縁角部１ｃが存在せず、書面２の右側縁２ａが前記切断部３を通過するので、当該書面２はスムーズにファイル１に挿入され、収納される。
【００３１】  図３は、ファイル１に、大きさが異なる２種類の書面２，４を収納した状態を示す正面図で、前記ファイル１はＡ４サイズよりも若干大型に形成されており、Ａ４サイズの書面２を収納すると、その上右肩の角部２ｂが前記切断部３から顔を覗かせることになる。
【００３２】  従って、前記書面２の角部２ｂを摘まんで引き出せば簡単に所望のものを取り出すことができる。
【００３３】  また、書面４がＢ５サイズのものである場合には、ファイル１に完全に収納されることになる。
【００３４】  図４は、手前側のシート５の角部が切断されているファイル１の正面図で、かように手前側のシート５が斜めに切断されていると、書面２を奥側のシート６の手前側面に沿わせて、その切断部３から前記書面２を容易にファイル１内に挿入することができる。
【００３５】  図５は、奥側のシート６の角部が切断されているファイル１の正面図で、かように奥側のシート６が斜めに切断されているので、手前側のシート５をめくれば、書面２をその切断部３から容易にファイル１内に挿入することができる。
【００３６】  図６は、手前側のシート５に突起７がエンボス成形されているファイル１の正面図で、かように手前側のシート５に突起７が形成されていると、書面２を挿入する際、手前側のシート５を容易にめくることができ、書面２をその切断部３から容易にファイル１内に挿入することができる。
【００３７】  図７は、複数のファイル１が集約されているファイル集合体の斜視図である。この図において、表紙８と裏表紙９は一体的に形成され、その中間辺りに台紙１０が固設されてお入り、当該台紙１０に、複数のファイル１の左側縁１ｅが固着され綴じられている。
【００３８】  この図において、ファイル１自体の構造は図２、図３に示されているものと異なるところはない。
【符号の説明】
【００３９】  １  ファイル、１ａ  右側縁、１ｂ  上縁、１ｃ  右上縁角部、１ｄ  下縁、１ｅ  左側縁、２  書面、２ａ  右側縁、２ｂ  右上縁角部、３  切断部、４  書面、５  手前側のシート、６  奥側のシート、７  突起、８  表紙、９  裏表紙、１０  台紙。
【図１】
2014124950.tif 000003
【図２】
2014124950.tif 000004
【図３】
2014124950.tif 000005
【図４】
2014124950.tif 000006
【図５】
2014124950.tif 000007
【図６】
2014124950.tif 000008
【図７】
2014124950.tif 000009